(57)【要約】【課題】製氷能力を向上することができるカップ式飲料自動販売機を提供すること。【解決手段】水リザーバ１０と、水リザーバ１０から供給した水を製氷する製氷機６と、冷却水槽１５に浸積され、水リザーバ１０から供給した水を冷却する水冷却コイル１６とを備え、製氷機６から氷を供給するとともに水冷却コイル１６から冷水を供給してカップ３にコールド飲料を注出するカップ式飲料自動販売機において、コールド飲料注出時には水冷却コイル１６からカップ２に冷水を供給する一方、待機時には水冷却コイル１６から水リザーバ１０に冷水を供給するようにした。【選択図】        図２
2005316749.tif 000002
【特許請求の範囲】
【請求項１】
水リザーバと、
水リザーバから供給した水を製氷する製氷機と、
冷却水槽に浸積され、水リザーバから供給した水を冷却する冷却コイルと
を備え、
製氷機から氷を供給するとともに冷却コイルから冷水を供給してカップにコールド飲料を注出するカップ式飲料自動販売機において、
コールド飲料注出時には冷却コイルからカップに冷水を供給する一方、
待機時には冷却コイルから水リザーバに冷水を供給することを特徴とするカップ式飲料自動販売機。
【請求項２】
前記製氷機は、
オーガを有する製氷部と、
アジテータを有する貯氷部と、
前記製氷部においてオーガを用いて製氷する一方、前記貯氷部においてアジテータを用いて撹拌する駆動モータと
を有し、
前記駆動モータを前記製氷部に形成した給水口と離隔する態様で配設したことを特徴とする請求項１に記載のカップ式飲料自動販売機。
【請求項３】
前記水リザーバは断熱構造を有することを特徴とする請求項１または２に記載のカップ式飲料自動販売機。
【請求項４】
前記冷却コイルから前記水リザーバに冷水を供給する第１冷水供給管路は断熱構造を有することを特徴とする請求項１〜３のいずれか１つに記載のカップ式飲料自動販売機。
【請求項５】
前記冷却コイルと前記水リザーバとの間に冷水を循環させて、前記水リザーバ内の水温を所定の温度で維持することを特徴とする請求項１〜４のいずれか１つに記載のカップ式飲料自動販売機。
【請求項６】
前記水リザーバから前記製氷機に冷水を供給する第２冷水供給管路は断熱構造を有することを特徴とする請求項１〜５のいずれか１つに記載のカップ式飲料自動販売機。
【請求項７】
前記製氷機と前記冷却コイルとを接続し、製氷機から流れ出た冷水を冷却コイルに供給することを特徴とする請求項１〜６のいずれか１つに記載のカップ式飲料自動販売機。
【発明の詳細な説明】
【技術分野】
【０００１】
本発明は、カップ式飲料自動販売機に関し、特に、コールド飲料を注出するカップ式飲料自動販売機に関するものである。
【背景技術】
【０００２】
従来から、コールド飲料を注出するカップ式飲料自動販売機が広く知られている。このカップ式飲料自動販売機は、シロップ等の原液と、炭酸水、冷水等の希釈液と、氷とを原料とし、これらを混合撹拌して、コールド飲料として提供するものである。
【０００３】
このようなカップ式飲料自動販売機は、シロップ回路等の原液回路と、冷水回路や炭酸水回路等の希釈液回路と、製氷機とを有している。希釈液回路と製氷機とには水リザーバから上水が供給され、希釈液回路から冷水又は炭酸水がカップに供給され、製氷機から氷がカップに供給される（例えば、非特許文献１参照）。
【０００４】
【非特許文献１】木村文彦監修  日本自動販売機工業会編纂  「自販機技術総覧」恒星社厚生閣  １９９８年５月２０日  ８０頁〜８７頁，７１頁〜７３頁
【発明の開示】
【発明が解決しようとする課題】
【０００５】
しかしながら、従来のカップ式飲料自動販売機において、粉砕した氷と、シロップと、少量の水を撹拌した半凍結状の飲料を提供する場合には、氷の消費量が増大し、カップ式飲料自動販売機に内蔵した製氷機の製氷能力が追いつかない事態が生じうる。製氷機の製氷能力が氷の消費量に追いつかない場合には、半凍結状の飲料を提供できないばかりでなく、コールド飲料に氷を供給できないことになる。
【０００６】
本発明は、上記実情に鑑みて、製氷能力を向上することができるカップ式飲料自動販売機を提供することを目的とする。
【課題を解決するための手段】
【０００７】
上記の目的を達成するために、本発明の請求項１に係るカップ式飲料自動販売機は、水リザーバと、水リザーバから供給した水を製氷する製氷機と、冷却水槽に浸積され、水リザーバから供給した水を冷却する冷却コイルとを備え、製氷機から氷を供給するとともに冷却コイルから冷水を供給してカップにコールド飲料を注出するカップ式飲料自動販売機において、コールド飲料注出時には冷却コイルからカップに冷水を供給する一方、待機時には冷却コイルから水リザーバに冷水を供給することを特徴とする。
【０００８】
また、本発明の請求項２に係るカップ式飲料自動販売機は、上記請求項１において、前記製氷機は、オーガを有する製氷部と、アジテータを有する貯氷部と、前記製氷部においてオーガを用いて製氷する一方、前記貯氷部においてアジテータを用いて撹拌する駆動モータとを有し、前記駆動モータを前記製氷部に形成した給水口と離隔する態様で配設したことを特徴とする。
【０００９】
また、本発明の請求項３に係るカップ式飲料自動販売機は、上記請求項１または２において、前記水リザーバは断熱構造を有することを特徴とする。
【００１０】
また、本発明の請求項４に係るカップ式飲料自動販売機は、上記請求項１〜３のいずれか１つにおいて、前記冷却コイルから前記水リザーバに冷水を供給する第１冷水供給管路は断熱構造を有することを特徴とする。
【００１１】
また、本発明の請求項５に係るカップ式飲料自動販売機は、上記請求項１〜４のいずれか１つにおいて、前記冷却コイルと前記水リザーバとの間に冷水を循環させて、前記水リザーバ内の水温を所定の温度で維持することを特徴とする。
【００１２】
また、本発明の請求項６に係るカップ式飲料自動販売機は、上記請求項１〜５のいずれか１つにおいて、前記水リザーバから前記製氷機に冷水を供給する第２冷水供給管路は断熱構造を有することを特徴とする。
【００１３】
また、本発明の請求項７に係るカップ式飲料自動販売機は、上記請求項１〜６のいずれか１つにおいて、前記製氷機と前記冷却コイルとを接続し、製氷機から流れ出た冷水を冷却コイルに供給することを特徴とする。
【発明の効果】
【００１４】
本発明によれば、コールド飲料注出時には冷却コイルからカップに冷水を供給する一方、待機時には冷却コイルから水リザーバに冷水を供給するので、水リザーバの水温が低下する。この水温が低下した冷水を製氷機に供給するので、製氷能力が向上するという効果を奏する。
【００１５】
また、駆動モータを製氷部に形成した給水口と離隔する態様で配設したので、駆動モータの発熱によって製氷機に供給する冷水を温めることがないので、製氷能力が向上するという効果を奏する。
【００１６】
また、水リザーバは断熱構造を有するので、外部環境による水リザーバ内の冷水の温度上昇を抑制し、製氷能力が向上するという効果を奏する。
【００１７】
また、冷却コイルから水リザーバに冷水を供給する第１冷水供給管路は断熱構造を有するので、外部環境により第１冷水供給管路内の水温が上昇することなく、製氷能力が向上するという効果を奏する。
【００１８】
また、冷却コイルと水リザーバとの間に冷水を循環させて、水リザーバ内の水温を所定の温度で維持するので、外部環境により水リザーバ内の水温が上昇することがなく、製氷能力が向上するという効果を奏する。
【００１９】
また、水リザーバから製氷機に冷水を供給する第２冷水供給管路は断熱構造を有するので、製氷機に供給する冷水の温度が外部環境により上昇することがなく、製氷能力が向上するという効果を奏する。
【００２０】
また、製氷機と冷却コイルとを接続し、製氷機から流れ出た冷水を冷却コイルに供給するので、製氷機で冷却された水を再利用でき、効率的に水リザーバ内の水を冷却できるという効果を奏する。
【発明を実施するための最良の形態】
【００２１】
以下に添付図面を参照して、本発明に係るカップ式飲料自動販売機の好適な実施例を詳細に説明する。なお、この実施例によりこの発明が限定されるものではない。
【実施例】
【００２２】
まず、図１及び図２に基づいて、本発明の実施例に係るカップ式飲料供給装置の構成を説明する。なお、図１は本発明の実施例に係るカップ式飲料自動販売機の回路構成を説明する概念図、図２は図１に示したコールド飲料注出回路を説明する概念図である。
【００２３】
図１に示すように、カップ式飲料自動販売機１は、ベンドステージ２に供給したカップ３に、コールド飲料や、ホット飲料を注出するものであり、シロップなどの原液を供給する原液供給回路４と、冷水、炭酸水、温水などの希釈液を供給する希釈液供給回路５と、製氷機６とを有している。
【００２４】
希釈液供給回路５は、冷水、炭酸水などの希釈液をベンドステージ２に供給したカップ３に注出するものであり、水リザーバ１０、水ポンプ１１、給水弁１２を有している。水リザーバ１０は断熱構造を有しており、水道水は水リザーバ１０に貯えられた後、水ポンプ１１によって圧送される。水ポンプ１１から圧送された水は給水弁１２によって、冷水回路１３又は温水回路１４に水を供給する。冷水回路１３に供給された水は、冷却水槽１５に浸漬した水冷却コイル１６を経由することにより冷却される。
【００２５】
水冷却コイル１６には、三方弁１７が接続してある。三方弁１７には、冷水管路１８と、カーボネータ１９とが接続してあり、いずれか一方に冷水の供給が可能となっている。すなわち、カップ３に冷水を供給する場合およびコールド飲料注出待機時（販売待機時）には、冷水管路１８に冷水を供給する一方、カップ３に炭酸水を供給する場合には、カーボネータ１９に冷水を供給する。
【００２６】
冷水管路１８には、三方弁２０が接続してある。三方弁２０には、冷水注出ノズル２１と、循環管路２２（第１冷水供給管路）とが接続してあり、いずれか一方に冷水の供給が可能となっている。すなわち、コールド飲料注出時（販売時）には冷水注出ノズル２１に冷水を供給して、冷水をカップ３に注出する一方、コールド飲料注出待機時（販売待機時）には、循環管路２２（第１冷水供給管路）を経由して冷水を水リザーバ１０に供給（循環）する。
【００２７】
カーボネータ１９は、冷却水槽１５に浸漬してある。カーボネータ１９には、炭酸ガスボンベ２３から炭酸ガスが供給され、この炭酸ガスが冷水に溶解して、冷水は炭酸水となる。カーボネータ１９には、炭酸水注出ノズル２４が接続してあり、炭酸水はベンドステージ２に供給したカップ３に注出される。
【００２８】
また、冷却水槽１５には、複数のシロップコンテナ３０が浸漬してある。シロップコンテナ３０には、原液となる各種のシロップがそれぞれ充填してある。各シロップコンテナ３０には、それぞれ、シロップポンプ３１が接続してあり、各シロップポンプ３１が各シロップコンテナ３０からシロップを吐出させて各シロップ冷却コイル３２に圧送する。この各シロップ冷却コイル３２も冷却水槽１５に浸漬してあり、シロップ冷却コイル３２内を流れたシロップは所定の温度まで冷却されて、シロップ注出ノズル３３からベンドステージ２に供給したカップ３に注出される。
【００２９】
製氷機６は、図２に示すように、製氷部５０と、貯氷庫５１とを有している。製氷部５０は、エボパレータ５２と、オーガ５３と、固定刃５４とを有している。エボパレータ５２はその内周面に氷を着氷させるものであり、給水口５２ａと排水口５２ｂとを有している。給水口５２ａには水リザーバ１０に接続した断熱構造を有する水管路５５（第２冷水供給管路）が接続してあり、サイホンの原理により、水リザーバ１０の水位と水位が同一となるようにエボパレータ５２が配設してある。
【００３０】
オーガ５３はエボパレータ５２の内部で回転し、エボパレータ５２の内周面に着氷した氷を掻き取り上部へ搬送するものである。固定刃５４は、オーガ５３の上方に取り付けてあり、オーガ５３で掻き取った氷を圧縮し、透明なチップ状の氷にするものである。
【００３１】
排水口５２ｂは、排水管路５６を介して水ポンプ１１に接続してあり、水リザーバ１０から供給され、氷にならなかった水（冷水）は水ポンプ１１を介して水冷却コイル１６に供給される。
【００３２】
貯氷庫５１は、固定刃５４の上方に取り付けて、オーガ５３と一体に回転するアジテータ５７を有している。アジテータ５７は、貯氷庫５１内の氷を撹拌して貯氷庫５１内の氷の固着を防止している。また、アジテータ５７は、貯氷庫５１から氷を吐出する場合にも回転し、アイスドア（図示せず）を開放することにより、貯氷庫５１に貯えた氷をベンドステージ２に供給したカップ３に搬出可能である。
【００３３】
オーガ５３とアジテータ５７とを一体に回転させて、製氷する一方、氷を撹拌する駆動モータ５８は、給水口とエボパレータ５２を挟んで離隔する態様で配設してある。
【００３４】
一方、温水回路１４に供給された水は、図１に示すように、湯タンク６０に貯えられ、湯タンク６０内でヒータ（図示せず）により沸かされて湯になる。湯タンク６０には、複数の湯弁６１が配設してある。各湯弁６１は、湯管路６２によってミキシングボール６３又はコーヒーブリュア６４に接続してあり、湯弁６１を開放することにより、湯管路６２を通って、ミキシングボール６３又はコーヒーブリュア６４に湯が供給される。
【００３５】
ミキシングボール６３は、粉末原料を供給する原料キャニスタ６５を有している。ミキシングボール６３では、原料キャニスタ６５から供給された粉末原料と、湯タンク６０から供給された湯とを撹拌しホット飲料とした後に、ホット飲料注出ノズル６６を通ってベンドステージ２に供給したカップ３に注出される。
【００３６】
コーヒーブリュア６４は、コーヒー豆キャニスタ６７を有し、コーヒー豆キャニスタ６７から供給された挽き豆（コーヒー豆）に湯タンク６０から供給された湯を注湯することにより、コーヒー飲料を抽出する。
【００３７】
コーヒーブリュア６４には、ミキシングボール６８が接続してある。ミキシングボール６８は、砂糖、クリーム等の粉末原料を供給する原料キャニスタ６９を有し、原料キャニスタ６９から供給された粉末原料と、コーヒー飲料とを撹拌した後に、コーヒー飲料注出ノズル７０を通って、ベンドステージ２に供給したカップ３に注出される。
【００３８】
以上説明したカップ式飲料自動販売機において、ベンドステージ２に供給したカップ３にコールド飲料を注出する場合には、まず、製氷機６からカップ３に氷を搬出する。次に、注出するコールド飲料の原料となるシロップが充填してあるシロップコンテナ３０に接続してあるシロップポンプ３１と、水ポンプ１１とを駆動する。すると、シロップコンテナ３０からシロップが吐出し、シロップ冷却コイル３２を通ってシロップ注出ノズル３３からシロップがカップ３に供給される。一方、水ポンプ１１により水が圧送され、水冷却コイル１６を通って冷水注出ノズル２１から冷水がカップ３に供給される。このように、カップ３に供給されたシロップと冷水とはカップ３内で混合され、コールド飲料となる。
【００３９】
また、ベンドステージ２に供給したカップ３に炭酸飲料を注出する場合には、まず、製氷機６からカップ３に氷を搬出する。次に、注出する炭酸飲料の原料となるシロップコンテナ３０に接続してあるシロップポンプ３１と水ポンプ１１とを駆動する。すると、シロップコンテナ３０からシロップが吐出し、シロップ冷却コイル３２を通ってシロップ注出ノズル３３からシロップがカップ３に供給される。一方、水ポンプ１１により水が圧送され、水冷却コイル１６を通って、カーボネータ１９に冷水が供給され、カーボネータ１９から炭酸水注出ノズル２４を通って炭酸水がカップ３に供給される。このように、カップ３に供給されたシロップと炭酸水とはカップ３内で混合され、炭酸飲料となる。
【００４０】
一方、コールド飲料、炭酸飲料の注出待機時（販売待機時）には、三方弁２０を切り換えて、水ポンプ１１により、水冷却コイル１６、循環管路２２、水リザーバ１０間に冷水を循環させて、水リザーバ１０に貯えられた水を冷却する。
【００４１】
また、ベンドステージ２に供給したカップ３にホット飲料を注出する場合には、注出するホット飲料となる原料粉末を貯蔵してある原料キャニスタ６５を備えたミキシングボール６３に原料キャニスタ６５から粉末原料を供給する一方、湯弁６１を開放して当該ミキシングボール６３に湯を供給する。ミキシングボール６３では、粉末原料と、湯とを混合撹拌し、ホット飲料とした後、ホット飲料配管を通って、ホット飲料注出ノズル６６からカップ３にホット飲料が注出される。
【００４２】
また、ベンドステージ２に供給したカップ３にコーヒー飲料を注出する場合には、コーヒー豆キャニスタ６７からコーヒーブリュア６４に挽き豆を供給する一方、コーヒーブリュア６４に接続した湯弁６１を開放してコーヒーブリュア６４に湯を供給する。そして、挽き豆と湯からコーヒー飲料を注出し、ミキシングボール６８にコーヒー飲料を供給する。ミキシングボール６８では、原料キャニスタ６９から砂糖、クリームなどの粉末原料を加えて混合撹拌した後に、コーヒー飲料配管を通って、コーヒー飲料注出ノズル７０からカップ３にコーヒー飲料が供給される。
【００４３】
また、ベンドステージ２に供給したカップ３にアイスコーヒー飲料を注出する場合には、まず、製氷機６からカップ３に氷を搬出する。次に、コーヒー豆キャニスタ６７からコーヒーブリュア６４に挽き豆を供給する一方、コーヒーブリュア６４に接続した湯弁６１を開放してコーヒーブリュア６４に湯を供給する。そして、挽き豆と湯からコーヒー飲料を注出し、ミキシングボール６８にコーヒー飲料を供給する。ミキシングボール６８では、原料キャニスタ６９から砂糖、クリームなどの粉末原料を加えて混合撹拌した後に、コーヒー飲料配管を通って、コーヒー飲料注出ノズル７０からカップ３にコーヒー飲料が供給される。他方、水ポンプ１１により水が圧送され、水冷却コイル１６を通って冷水注出ノズル２１から冷水がカップ３に供給される。このように、カップ３に供給された氷とコーヒー飲料と冷水とはカップ３内で混合され、アイスコーヒー飲料となる。
【００４４】
以上説明した本実施例に係るカップ式飲料自動販売機１によれば、コールド飲料注出時には水冷却コイル１６からカップ３に冷水を供給する一方、待機時には水冷却コイル１６から循環管路２２（第１冷水供給管路）を介して水リザーバ１０に冷水を供給するので、水リザーバ１０の水温が低下する。この水温が低下した冷水を製氷機６に供給するので、製氷能力を向上できる。
【００４５】
また、駆動モータ５８を給水口５２ａとエボパレータ５２を挟んで離隔する態様で配設したので、駆動モータ５８の発熱によって製氷機６に供給する冷水を温めることがないので、製氷能力を向上できる。
【００４６】
また、水リザーバ１０は断熱構造を有するので、外部環境による水リザーバ１０内の冷水の温度上昇を抑制し、製氷能力を向上できる。
【００４７】
また、水冷却コイル１６から水リザーバ１０に冷水を供給する循環管路２２（第１冷水供給管路）は断熱構造を有するので、外部環境により循環管路２２（第１冷水供給管路）内の水温が上昇することなく、製氷能力を向上できる。
【００４８】
また、水冷却コイル１６と水リザーバ１０との間に冷水を循環させて、水リザーバ１０内の水温を所定の温度で維持するので、外部環境により水リザーバ１０内の水温が上昇することがなく、製氷能力を向上できる。
【００４９】
また、水リザーバ１０から製氷機６に冷水を供給する水管路５５（第２冷水供給管路）は断熱構造を有するので、製氷機６に供給する冷水の温度が外部環境により上昇することがなく、製氷能力を向上できる。
【００５０】
また、製氷機６と水冷却コイル１６とを接続し、製氷機６から流れ出た冷水を水ポンプ１１により水冷却コイル１６に供給するので、製氷機６で冷却された水を再利用でき、効率的に水リザーバ１０内の水を冷却できる。
【産業上の利用可能性】
【００５１】
以上のように、本発明に係るカップ式飲料自動販売機は、コールド飲料を注出するカップ式飲料自動販売機に有用であり、特に、氷の消費量が多いカップ式飲料自動販売機に適している。
【図面の簡単な説明】
【００５２】
【図１】本発明の実施例に係るカップ式飲料自動販売機の回路構成を説明する概念図である。
【図２】図１に示したコールド飲料注出回路を説明する概念図である。
【符号の説明】
【００５３】
１    カップ式飲料自動販売機
３    カップ
６    製氷機
１０    水リザーバ
１１    水ポンプ
１２    給水弁
１３    冷水回路
１５    冷却水槽
１６    水冷却コイル
１８    冷水管路
２０    三方弁
２１    冷水注出ノズル
２２    循環管路
５０    製氷部
５１    貯氷庫
５２    エボパレータ
５２ａ  給水口
５２ｂ  排水口
５３    オーガ
５４    固定刃
５５    水管路
５６    排水管路
５７    アジテータ
５８    駆動モータ
【図１】
2005316749.tif 000003
【図２】
2005316749.tif 000004